(57)【要約】【要  約】【課  題】従来のモータは、固定子または回転子のいずれか若しくはその両方へ電磁力を発生させる巻線が必須なため運転を行なう場合は直流電力か交流電力その他いずれかの荷電の必要性および電力消費があった。【解決手段】本発明の無荷電モータは、固定子と回転子へ電磁力を発生させる巻線を備えず換わって永久磁石と無磁力磁性体との間でＮ極とＳ極交互の磁力供給を得て反発力と吸引力の永久的繰り返しの作用で運転するもので荷電の必要性と電力消費が無いことを特徴とする無荷電モータに関するものである。【選択図】  図１
2009254029.tif 000002
【特許請求の範囲】
【請求項１】
外因通電の磁力発生を行なう巻線を備えず。無磁力または極めて無磁力の幾つかの磁性体を備えた非磁性体の固定子に対し磁力保持した幾つかの永久磁石に具備その磁力を伝達できる磁性体を経て且つ永久磁石その数に反比例した角度を保ち且つ接触滑りながら前記非磁性体の固定子に備えた無磁力または極めて無磁力の磁性体に対し磁力を伝達できる非磁性体の回転子で構成することを特徴とする無荷電モータ。
【請求項２】
外因通電の磁力発生を行なう巻線を備えず。無磁力または極めて無磁力の幾つかの磁性体を備えた非磁性体の固定子に対し磁力保持した幾つかの永久磁石へ具備その磁力を伝達できる磁性体を経て且つ永久磁石その数に反比例した角度を保ち且つ非接触及び自在変ぼう磁性体による浮遊接触効果を経て前記非磁性体の固定子に備えた無磁力または極めて無磁力の磁性体に対し磁力を伝達できる非磁性体の回転子で構成することを特徴とする無荷電モータ。
【請求項３】
外因通電の磁力発生を行なう巻線を備えず。永久磁石を非磁性体の固定子か非磁性体の回転子に備え前記永久磁石から生じる磁力効果を他の無磁力磁性体へ伝達し回転子の回転作用を発生させる仕組みを具備したことを特徴とする無荷電モータ。
【請求項４】
無荷電モータ固定子内部の回転子の回転運動の磁力作用バランスを他の磁力作用を加担して回転子の回転運動を制御する備えを特徴とする無荷電モータ。
【請求項５】
無荷電モータの固定子範囲へ巻線を配置して永久磁石を具備した回転子の回転運動効果をうけ巻線に電力を発生させる仕組みを具備したことを特徴とする無荷電モータ。
【発明の詳細な説明】
【技術分野】
【０００１】
本発明は、非磁性体の回転子に備えた永久磁石の発する磁力を非磁性体の固定子に備えた磁性体の磁力として活用することで非磁性体の回転子は永久に回転し続けることを特徴とする無荷電モータに関するものである。
【背景技術】
【０００２】
従来、モータは電動モータと称されるように外部からモータの回転子か固定子へ電気を流し電気的に磁力Ｎ極Ｓ極を発生させそれらの反発力と吸引力の連続的な作用でモータの運転は行なっていた従がって電力消費は必要不可欠であった。
例えば（特許文献１〜４）がある。
【特許文献１】特許公開２００４−２１５４４８
【特許文献２】特許公開平７−１１８３８
【特許文献３】特許公開平１１−６９７７０
【特許文献４】特許公開平１１−５１０９９５
【０００３】
前記らはなされているがいずれも電力供給を前提とした考案によるもので従がって電力消費の欠点は解決されず及び電力無供給運転のできる無荷電モータに関するものは無い。
【発明の開示】
【発明が解決しようとする課題】
【０００４】
従来の技術では、直流モータや交流モータなど多様なモータであってもこれらの運転を行なうには電力荷電が必要不可欠という課題があった。更にこの電力供給源の大半は地球温暖化の原因の二酸化炭素排出量が多い化石燃料発電によるか或いは放射能の危険を伴なう原子力発電に依存しており及び二酸化炭素排出の無い燃料電池も実用化に至ったがいずれの場合も天然資源を酷使している上で将来これらの枯渇による電力供給は概ね断たれどの様な種類のモータの運転も困難となる、これら二つの相互な課題があった。
【０００５】
従がって本発明の目的とするところは従来の課題を解決するもので、電力荷電を一切行なわず無荷電モータの固定子または回転子あるいはその双方へ運転に必要な吸引力と反発力を永久磁石の持つ磁力Ｎ極とＳ極からの伝達の切り替え手段により連続的な回転作用を起こす利点を可能にするところにある。
【課題を解決するための手段】
【０００６】
本発明は、非磁性体の回転子へ永久磁石を備え永久磁石はこの数に反比例する等角度を保ち無磁力磁性体を前記永久磁石へ備え及びこの磁性体を経由して非磁性体の固定子に備えた無磁力磁性体へ磁力を伝達する。非磁性体の回転子に備えた永久磁石の磁力が磁性体を経由してこれが非磁性体の固定子に備えた磁性体の磁力となり且つ非磁性体の回転子は非磁性体の固定子との間で非磁性体の回転子の回転角度に応じた吸引と反発を継続繰り返すことで非磁性体の回転子は永久に回転し続ける。
【０００７】
無荷電モータ内外装の一部範囲または全範囲へ回転制御の目的で他の磁力源などを配置整えて制御装置とする。
【発明の効果】
【０００８】
本発明の無荷電モータの運転は、永久磁石の永久保磁力を固定子と回転子との間で吸引作用と反発作用を連続的に生じさせることで回転作用が発生して継続回転する。及び電力荷電の必要はなく故に電力消費は無い。
【発明を実施するための最良の形態】
【０００９】
従来の課題を解決するために本発明の無荷電モータは、図１の非磁性体の固定子（１）に無磁力または極めて無磁力の磁性体（４１、４２、４３、４４、４５、４６、４７、４８）を備え固定子内部にシャフト（７）を中心に非磁性体の回転子（２）を備え回転子（２）に永久磁石（６１、６２、６３）を備え永久磁石（６１）にブレード（３１、３４）を（６２）にブレード（３２、３５）を（６３）にブレート（３３、３６）を備える。回転子（２）に永久磁石（６１、６２、６３）を備え永久磁石（６１、６２、６３）の端方へ備えたブレード（３１、３２、３３）及び且つ他端方へ備えたブレード（３４、３５、３６）は固定子に備えた（４１、４２、４３、４４、４５、４６、４７、４８）との間で磁力伝達の直接な接触を行なう。
【００１０】
従来の問題を解決するために本発明の無荷電モータは、図４の非磁性体の固定子（１）に無磁力または極めて無磁力の磁性体（４１、４２、４３、４４、４５、４６、４７、４８）を備え固定子内部にシャフト（７）を中心に非磁性体の回転子（２）を備え回転子（２）に永久磁石（６１、６２、６３）を備え永久磁石（６１）にブレード（３１、３４）を（６２）にブレード（３２、３５）を（６３）にブレード（３３、３６）を備える。回転子（２）に永久磁石（６１、６２、６３）を備え永久磁石（６１、６２、６３）の端方へ備えたブレード（３１、３２、３３）及び且つ他端方へ備えたブレード（３４、３５、３６）は自在変ぼう磁性体（８）の浮遊磁着の磁力伝達効果を介し固定子に備えた（４１、４２、４３、４４、４５、４６、４７、４８）はブレード（３１、３２、３３、３４、３５、３６）から無接触な磁力伝達を受ける。
【００１１】
固定子（１）にシャフト（７）を備えた回転子（２）は回転運動を一旦始めると外部エネルギーに頼らない構造なため無荷電モータの回転運動は安定的に一定する。従がって無荷電モータの制御装置として無荷電モータの固定子および付帯品と回転子および付帯品とは異なる他の磁力（９）を配置する。
【実施例１】
【００１２】
図１は、実施例１における無荷電モータを示すものである。
【００１３】
図１において、（１）は非磁性体の固定子で（４１、４２、４３、４４、４５、４６、４７、４８）は無磁力または極無磁力の磁性体であり（２）は非磁性体の回転子（７）は回転子の中心に位置するシャフトで（３１、３４）のブレードは（６１）へ同様に（３２、３５）のブレードは（６２）へ（３３、３６）のブレードは（６３）へ備え且つ（２）の回転子へ具備している。
【００１４】
ブレード（３１、３４）は（６１）へ同様にブレード（３２、３５）は（６２）へブレード（３３、３６）は（６３）へ備え且つ（２）の回転子へ具備してシャフト（７）を中心に（４１、４２、４３、４４、４５、４６、４７、４８）の無磁力または極無磁力の磁性体を備えた（１）の固定子内部で回転ができる。
【００１５】
永久磁石（６１）と（６２）と（６３）のＮ極へそれぞれブレード（３１）と（３２）と（３３）を備える。永久磁石（６１）と（６２）と（６３）のＳ極へそれぞれブレード（３４）と（３５）と（３６）を備える。及び永久磁石（６１）と（６２）と（６３）は角度１２０度の等分に配置し且つシャフト（７）側に向かってＳ極を及び無磁力または極無磁力の磁性体（４１、４２、４３、４４、４５、４６、４７、４８）側に向かってＮ極を備える。ここで無磁力の磁性体（４３）はブレード（３５）の磁力でＳ極へ無磁力の磁性体（４４）はブレード（３２）の磁力でＮ極へ帯磁し永久磁石（６２）はＳ極に帯磁した（４３）に吸引され且つＮ極へ帯磁した（４４）に反発されながらシャフト（７）を中心に右回転の作用が働く。同様に永久磁石（６３）はＳ極に帯磁した（４６）に吸引され且つＮ極へ帯磁した（４７）に反発されながらシャフト（７）を中心に右回転の作用が働く。また同様に永久磁石（６１）はＳ極に帯磁した（４８）に吸引され且つＮ極へ帯磁した（４２）に反発されながらシャフト（７）を中心に右回転の作用が働く。なお（４１）にも帯磁現象は生じるが瞬間的且つ（４２）と（４８）の帯磁力より小さく右回転を止めるだけの作用力は無く同様に（４５）は（４１）より作用力は小さい。回転子（２）は回転角度の変化に追従して（４１、４２、４３、４４、４５、４６、４７、４８）の吸引反発の効果は連続し回転子（２）の右回転運動は止むことなく続く。
【００１６】
図２は、固定子（１）に備えた無磁力または極無磁力の磁性体（４１、４２、４３、４４、４５、４６、４７、４８）の具備を示している。
【００１７】
図３は、シャフト（７）とブレード（３１、３２、３３、３４、３５、３６）及び永久磁石（６１、６２、６３）を具備した回転子（２）を示している。
【実施例２】
【００１８】
図４は、実施例２における無荷電モータを示すものである。
【００１９】
図４において、（１）は非磁性体の固定子で、（４１、４２、４３、４４、４５、４６、４７、４８）は無磁力または極無磁力の磁性体であり（２）は非磁性体の回転子（７）は回転子の中心に位置するシャフトで（３１、３４）のブレードは（６１）へ同様に（３２、３５）のブレードは（６２）に（３３、３６）のブレードは（６３）へ備え且つ（２）の回転子へ具備している。（８）は自在変ぼう磁性体で（３１、３２、３３、３４、３５、３６）のブレードに浮遊磁着する。
【００２０】
ブレード（３１、３４）は（６１）へ同様にブレード（３２、３５）は（６２）にブレード（３３、３６）は（６３）へ備え及び各ブレードへ自在変ぼう磁性体（８）を備え且つ（２）の回転子へ具備してシャフト（７）を中心に（４１、４２、４３、４４、４５、４６、４７、４８）の無磁力または極無磁力の磁性体を備えた（１）の固定子内部で回転ができる。
【００２１】
永久磁石（６１）と（６２）と（６３）のＮ極へそれぞれブレード（３１）と（３２）と（３３）を備える。永久磁石（６１）と（６２）と（６３）のＳ極へそれぞれブレード（３４）と（３５）と（３６）を備える。及び永久磁石（６１）と（６２）と（６３）は角度１２０度の等分に配置し且つシャフト（７）側に向かってＳ極を及び無磁力または極無磁力の磁性体（４１、４２、４３、４４、４５、４６、４７、４８）側に向かってＮ極を備える。ここで無磁力の磁性体（４３）は自在変ぼう磁性体（８）を介しブレード（３５）の磁力でＳ極へ無磁力の磁性体（４４）は自在変ぼう磁性体（８）を介しブレード（３２）の磁力でＮ極へ帯磁し永久磁石（６２）はＳ極に帯磁した（４３）に吸引され且つＮ極へ帯磁した（４４）に反発されながらシャフト（７）を中心に右回転の作用が働く。同様に永久磁石（６３）はＳ極に帯磁した（４６）に吸引され且つＮ極へ帯磁した（４７）に反発されながらシャフト（７）を中心に右回転の作用が働く。また同様に永久磁石（６１）はＳ極に帯磁した（４８）に吸引され且つＮ極へ帯磁した（４２）に反発されながらシャフト（７）を中心に右回転の作用が働く。非磁性体のスイーパー（５）は回転子（２）へ具備して自在変ぼう磁性体（８）が（４１、４２、４３、４４、４５、４６、４７、４８）と（６１、６２、６３）間の磁着を阻み且つ取り去る。なお（４１）にも帯磁現象は生じるが瞬間的且つ（４２）と（４８）の帯磁力より小さく右回転を止めるだけの作用力は無く同様に（４５）は（４１）より作用力は小さい。回転子（２）は回転角度の変化に追従して（４１、４２、４３、４４、４５、４６、４７、４８）の吸引反発の効果は連続して回転子（２）の右回転運動は止むことなく続く。
【実施例３】
【００２２】
図５は、実施例３における無荷電モータの回転制御を示すものである。
【００２３】
図５において、固定子（１）の内部でシャフト（７）を中心に回転している回転子（２）の回転制御を制御装置（９）は行なう。制御措置（９）は固定子内部で回転子の回転運動の磁力作用バランスを制御装置（９）の磁力作用を加担して回転子の回転運動を制御するものである。制御装置（９）は制御装置台（１０）へ具備される。
【実施例４】
【００２４】
図６は、実施例４における無荷電モータへ具備の発電の仕組みを示すものである。
【００２５】
図６において、固定子（１）内部の磁性体（４１、４２、４３、４４、４５、４６、４７、４８）を避けて巻線（１１）は具備する。巻線（１１）は回転子（図３）の回転により回転子へ備えた永久磁石（６１、６２、６３）の通過の度に電力を発生する。
【産業上の利用可能性】
【００２６】
以上のように本発明にかかる無荷電モータは、永久磁石の永久保磁力を固定子と回転子との間で吸引作用と反発作用を連続的に生じさせることで回転作用が発生して継続回転する。及び電力荷電の必要はなく故に電力消費は無い。よって発電機を無荷電モータで駆動するとランニングコストゼロの電力を無尽蔵に生産することができるほか電力製造にかかる水資源や化石燃料またはウラン燃料など天然エネルギーへの依存から脱却できる。及び炭素の排出は無く地球温暖化の抑制もできる。同様に四六時中運転が必要な冷蔵庫やポンプあるいは列車や自動車などへ無荷電モータを搭載するとランニングコストゼロ及び給油無しで走行ができるという併合な利点を可能にするところにある。
【図面の簡単な説明】
【００２７】
【図１】本発明の無荷電モータを示した図である。実施例１
【図２】本発明の無荷電モータの固定子である。実施例１および実施例２
【図３】本発明の無荷電モータの回転子である。実施例１
【図４】本発明の無荷電モータを示した図である。実施例２
【図５】本発明の無荷電モータの回転制御を示した図である。実施例３
【図６】本発明の無荷電モータへ具備の発電の仕組みを示した図である。実施例４
【符号の説明】
【００２８】
１  非磁性体の固定子
２  非磁性体の回転子
３１、３２、３３、３４、３５、３６  磁性体のブレード
４１、４２、４３、４４、４５、４６、４７、４８  無磁力または極無磁力の磁性体
５  非磁性体のスイーパー
６１、６２、６３  永久磁石
７  シャフト
８  自在変ぼう磁性体
９  制御装置
１０  制御装置台
【図１】
2009254029.tif 000003
【図２】
2009254029.tif 000004
【図３】
2009254029.tif 000005
【図４】
2009254029.tif 000006
【図５】
2009254029.tif 000007
【図６】
2009254029.tif 000008